(57)【要約】【課題】実際の通風効果が大きい通風経路を精度よく設定する。【解決手段】通風制御装置１において、通風経路設定部１４１は、情報取得部１１で取得された環境情報を用いて、建物内の通風経路を設定する。通風量設定部１４２は、当該環境情報および当該通風経路を用いて、当該通風経路を通り抜ける風の通風量を設定する。ここで、通風経路設定部１４１は、まず、予想される通風効果の大きい順に優先順位を付けた複数の候補経路を設定する。そして、最も優先順位の高い第１の候補経路が前回設定された通風経路と同一である場合、前回取得の室温と今回取得の室温との差分値が閾値以上であるとき、通風経路設定部１４１は、第１の候補経路を通風経路として設定する。一方、当該差分値が当該閾値未満であるとき、通風経路設定部１４１は、第１の候補経路の次に優先順位の高い第２の候補経路を通風経路として設定する。【選択図】図１
2014141841.tif 000002
【特許請求の範囲】
【請求項１】
建物内の通風経路および当該通風経路を通り抜ける風の通風量を所定の切替間隔で設定する通風制御装置であって、
前記建物外で吹いている風に関する風関連情報、当該建物外の外気温および外気湿度を含む気象情報と、当該建物内の室温および室内湿度を含む室内環境情報とを含む環境情報を取得する情報取得部と、
前記情報取得部で取得された前記環境情報を用いて、前記通風経路を設定する通風経路設定部と、
前記情報取得部で取得された前記環境情報、および、前記通風経路設定部で設定された前記通風経路を用いて、前記通風量を設定する通風量設定部と、
前記通風経路設定部で設定された前記通風経路、および、前記通風量設定部で設定された前記通風量を出力する出力部とを備え、
前記通風経路設定部は、
予想される通風効果の大きい順に優先順位を付けた複数の候補経路を、前記環境情報を用いて設定し、当該複数の候補経路の中で最も優先順位の高い第１の候補経路が前回設定された通風経路と同一である場合、前記情報取得部で前回取得された室温と当該情報取得部で今回取得された室温との差分値が予め決められた閾値以上であるとき、当該第１の候補経路を前記通風経路として設定する一方、当該差分値が当該閾値未満であるとき、当該複数の候補経路の中で当該第１の候補経路の次に優先順位の高い第２の候補経路を前記通風経路として設定する
ことを特徴とする通風制御装置。
【請求項２】
前記通風経路設定部は、前記第１の候補経路について、これまでに予め決められた回数、前記差分値が前記閾値未満であった場合、以後、常に、前記第２の候補経路を前記通風経路として設定することを特徴とする請求項１記載の通風制御装置。
【請求項３】
いずれもが前記出力部から出力された前記通風経路および前記通風量を用いて、前記建物に形成された開口部の開閉を制御する開口部制御装置を制御する開口制御部をさらに備えることを特徴とする請求項１または２記載の通風制御装置。
【請求項４】
いずれもが前記出力部から出力された前記通風経路および前記通風量に応じて、当該通風経路上の通風を補助する通風補助装置の状態を決定する状態決定部と、
前記状態決定部で決定された前記通風補助装置の状態になるように前記通風補助装置を制御する補助制御部と
をさらに備えることを特徴とする請求項３記載の通風制御装置。
【請求項５】
前記情報取得部で取得された前記室温と前記外気温との差分絶対値を示す第１の差分絶対値が第１の規定値未満であるか否かを判定する第１の判定部と、
前記第１の差分絶対値が前記第１の規定値未満である場合に、前記情報取得部で取得された前記室温と前記通風経路上の設定温度との差分絶対値を示す第２の差分絶対値が第２の規定値未満であるか否かを判定する第２の判定部と、
前記第２の差分絶対値が前記第２の規定値未満である場合に、前記情報取得部で今回取得された室温と当該情報取得部で前回取得された室温との差分絶対値を示す第３の差分絶対値が第３の規定値未満であるか否かを判定する第３の判定部と、
前記第１の差分絶対値が前記第１の規定値以上である場合、前記第２の差分絶対値が前記第２の規定値以上である場合、または、前記第３の差分絶対値が前記第３の規定値以上である場合、前記切替間隔を第１の時間に設定する一方、前記第３の差分絶対値が前記第３の規定値未満である場合、前記切替間隔を前記第１の時間よりも長い第２の時間に設定する切替間隔設定部と
をさらに備えることを特徴とする請求項１〜４のいずれか１項に記載の通風制御装置。
【請求項６】
請求項１〜５のいずれか１項に記載の通風制御装置と、
前記通風制御装置の制御によって前記建物の開口部の開閉を制御する開口部制御装置と
を備えることを特徴とする通風システム。
【請求項７】
建物内の通風経路および当該通風経路を通り抜ける風の通風量を所定の切替間隔で設定するために用いられるプログラムであって、
コンピュータを、
前記建物外で吹いている風に関する風関連情報、当該建物外の外気温および外気湿度を含む気象情報と、当該建物内の室温および室内湿度を含む室内環境情報とを含み、情報取得部で取得された環境情報を用いて、前記通風経路を設定する通風経路設定部、
前記情報取得部で取得された前記環境情報、および、前記通風経路設定部で設定された前記通風経路を用いて、前記通風量を設定する通風量設定部、ならびに、
前記通風経路設定部で設定された前記通風経路、および、前記通風量設定部で設定された前記通風量を出力する出力部として機能させるためのプログラムであって、
前記コンピュータに、前記通風経路設定部として、
予想される通風効果の大きい順に優先順位を付けた複数の候補経路を、前記環境情報を用いて設定し、当該複数の候補経路の中で最も優先順位の高い第１の候補経路が前回設定された通風経路と同一である場合、前記情報取得部で前回取得された室温と当該情報取得部で今回取得された室温との差分値が予め決められた閾値以上であるとき、当該第１の候補経路を前記通風経路として設定する一方、当該差分値が当該閾値未満であるとき、当該複数の候補経路の中で当該第１の候補経路の次に優先順位の高い第２の候補経路を前記通風経路として設定することを機能させるためのプログラム。
【発明の詳細な説明】
【技術分野】
【０００１】
本発明は、建物内の通風を制御するために用いられる通風制御装置、通風システムおよびプログラムに関する。
【背景技術】
【０００２】
従来から、建物内に存在する人（以下「在室者」という）が快適な環境で生活することができるように、建物外から建物内に風を流入させるシステムが知られている（例えば特許文献１参照）。
【０００３】
特許文献１に記載されたシステムは、建物外の風向、風速、外気温などの情報と、建物内の室温などの情報と、部屋の配置、開口部の位置などの情報とに基づいて、建物内の通風経路を選出する。
【先行技術文献】
【特許文献】
【０００４】
【特許文献１】特開２０１２−１２２２８５号公報
【発明の概要】
【発明が解決しようとする課題】
【０００５】
しかしながら、特許文献１に記載された従来のシステムは、予想される通風効果と実際の通風効果との差異が大きい場合に、実際の通風効果が小さい通風経路を選択するという問題があった。つまり、特許文献１に記載された従来のシステムでは、予想される通風効果が大きいものの実際の通風効果が小さい通風経路を選択することがある。
【０００６】
本発明は上記の点に鑑みて為された発明であり、本発明の目的は、実際の通風効果が大きい通風経路を精度よく設定することができる通風制御装置、通風システムおよびプログラムを提供することにある。
【課題を解決するための手段】
【０００７】
本発明の通風制御装置は、建物内の通風経路および当該通風経路を通り抜ける風の通風量を所定の切替間隔で設定する通風制御装置であって、前記建物外で吹いている風に関する風関連情報、当該建物外の外気温および外気湿度を含む気象情報と、当該建物内の室温および室内湿度を含む室内環境情報とを含む環境情報を取得する情報取得部と、前記情報取得部で取得された前記環境情報を用いて、前記通風経路を設定する通風経路設定部と、前記情報取得部で取得された前記環境情報、および、前記通風経路設定部で設定された前記通風経路を用いて、前記通風量を設定する通風量設定部と、前記通風経路設定部で設定された前記通風経路、および、前記通風量設定部で設定された前記通風量を出力する出力部とを備え、前記通風経路設定部は、予想される通風効果の大きい順に優先順位を付けた複数の候補経路を、前記環境情報を用いて設定し、当該複数の候補経路の中で最も優先順位の高い第１の候補経路が前回設定された通風経路と同一である場合、前記情報取得部で前回取得された室温と当該情報取得部で今回取得された室温との差分値が予め決められた閾値以上であるとき、当該第１の候補経路を前記通風経路として設定する一方、当該差分値が当該閾値未満であるとき、当該複数の候補経路の中で当該第１の候補経路の次に優先順位の高い第２の候補経路を前記通風経路として設定することを特徴とする。
【０００８】
この通風制御装置において、前記通風経路設定部は、前記第１の候補経路について、これまでに予め決められた回数、前記差分値が前記閾値未満であった場合、以後、常に、前記第２の候補経路を前記通風経路として設定することが好ましい。
【０００９】
この通風制御装置において、いずれもが前記出力部から出力された前記通風経路および前記通風量を用いて、前記建物に形成された開口部の開閉を制御する開口部制御装置を制御する開口制御部をさらに備えることが好ましい。
【００１０】
この通風制御装置において、いずれもが前記出力部から出力された前記通風経路および前記通風量に応じて、当該通風経路上の通風を補助する通風補助装置の状態を決定する状態決定部と、前記状態決定部で決定された前記通風補助装置の状態になるように前記通風補助装置を制御する補助制御部とをさらに備えることが好ましい。
【００１１】
この通風制御装置において、前記情報取得部で取得された前記室温と前記外気温との差分絶対値を示す第１の差分絶対値が第１の規定値未満であるか否かを判定する第１の判定部と、前記第１の差分絶対値が前記第１の規定値未満である場合に、前記情報取得部で取得された前記室温と前記通風経路上の設定温度との差分絶対値を示す第２の差分絶対値が第２の規定値未満であるか否かを判定する第２の判定部と、前記第２の差分絶対値が前記第２の規定値未満である場合に、前記情報取得部で今回取得された室温と当該情報取得部で前回取得された室温との差分絶対値を示す第３の差分絶対値が第３の規定値未満であるか否かを判定する第３の判定部と、前記第１の差分絶対値が前記第１の規定値以上である場合、前記第２の差分絶対値が前記第２の規定値以上である場合、または、前記第３の差分絶対値が前記第３の規定値以上である場合、前記切替間隔を第１の時間に設定する一方、前記第３の差分絶対値が前記第３の規定値未満である場合、前記切替間隔を前記第１の時間よりも長い第２の時間に設定する切替間隔設定部とをさらに備えることが好ましい。
【００１２】
本発明の通風システムは、前記通風制御装置と、前記通風制御装置の制御によって前記建物の開口部の開閉を制御する開口部制御装置とを備えることを特徴とする。
【００１３】
本発明のプログラムは、建物内の通風経路および当該通風経路を通り抜ける風の通風量を所定の切替間隔で設定するために用いられるプログラムであって、コンピュータを、前記建物外で吹いている風に関する風関連情報、当該建物外の外気温および外気湿度を含む気象情報と、当該建物内の室温および室内湿度を含む室内環境情報とを含み、情報取得部で取得された環境情報を用いて、前記通風経路を設定する通風経路設定部、前記情報取得部で取得された前記環境情報、および、前記通風経路設定部で設定された前記通風経路を用いて、前記通風量を設定する通風量設定部、ならびに、前記通風経路設定部で設定された前記通風経路、および、前記通風量設定部で設定された前記通風量を出力する出力部として機能させるためのプログラムであって、前記コンピュータに、前記通風経路設定部として、予想される通風効果の大きい順に優先順位を付けた複数の候補経路を、前記環境情報を用いて設定し、当該複数の候補経路の中で最も優先順位の高い第１の候補経路が前回設定された通風経路と同一である場合、前記情報取得部で前回取得された室温と当該情報取得部で今回取得された室温との差分値が予め決められた閾値以上であるとき、当該第１の候補経路を前記通風経路として設定する一方、当該差分値が当該閾値未満であるとき、当該複数の候補経路の中で当該第１の候補経路の次に優先順位の高い第２の候補経路を前記通風経路として設定することを機能させるためのプログラムである。
【発明の効果】
【００１４】
本発明によれば、実際の通風効果が大きい通風経路を精度よく設定することができる。
【図面の簡単な説明】
【００１５】
【図１】実施形態に係る通風システムの構成を示すブロック図である。
【図２】実施形態に係る通風制御装置の動作を示すフローチャートである。
【図３】実施形態に係る通風制御装置の通風経路の設定動作を示すフローチャートである。
【発明を実施するための形態】
【００１６】
以下の実施形態に係る通風システムにおいて、通風制御装置は、建物内の通風状態（通風経路、通風量）を所定の切替間隔で設定する装置である。
【００１７】
この通風制御装置は、通風経路を設定する際に、まず、予想される通風効果の大きい順に優先順位を付けた複数の候補経路を設定する。そして、最も優先順位の高い第１の候補経路が前回設定された通風経路と同一であって、前回の室温と今回の室温との差分値が閾値未満である場合、通風制御装置は、第１の候補経路ではなく、第１の候補経路の次に優先順位の高い第２の候補経路を通風経路として設定する。
【００１８】
つまり、本実施形態の通風制御装置は、今回の室温と前回の室温とがほとんど同じであった場合に、前回設定された通風経路の実際の通風効果が小さいと判断し、このような通風効果の小さい通風経路を連続して設定することを防止する。
【００１９】
本実施形態において、通風経路は、建物外からの風が建物内の空間（部屋、廊下、階段など）を通り抜けるように設定された経路である。また、通風量は、当該通風経路を通り抜ける風の量である。
【００２０】
以下、図面を参照しながら、本実施形態の通風システムの詳細について説明する。
【００２１】
本実施形態に係る通風システムは、図１に示すように、通風制御装置１と、複数の開口部制御装置２，２，２と、複数の通風補助装置３，３，……とを備えている。また、通風システムは、風向風速計４と、第１の温湿度計５と、第２の温湿度計６と、入力装置７とをさらに備えている。
【００２２】
以下、通風システムが一般的な戸建住宅に用いられている場合を例として説明するが、当該通風システムは、戸建住宅に限らず、例えば集合住宅の個々の住戸に用いられてもよい。また、当該通風システムは、事務所や店舗、施設、工場などに用いられてもよい。
【００２３】
各開口部制御装置２は、建物に形成された開口部の開閉を制御する装置である。各開口部制御装置２は、例えば建具（窓ガラス、窓シャッタなど）を稼働させて開口部としての窓を開閉させる窓開閉装置、または、ドアを稼働させて開口部としての出入口を開閉させるドア開閉装置などである。当該ドアとしては、玄関に設けられた玄関ドア、または、建物内に設けられたドアなどがある。各開口部制御装置２は、通風制御装置１によって制御される。
【００２４】
風向風速計４は、建物外に設置されており、建物外に吹いている風の向き（風向）および速さ（風速）を計測する。
【００２５】
第１の温湿度計５は、建物外に設置されており、当該建物外の気温（外気温）と、当該建物外の湿度（外気湿度）とを計測する。
【００２６】
第２の温湿度計６は、建物内に設置されており、当該建物内の気温（室温）と、当該建物内の湿度（室内湿度）とを計測する。
【００２７】
入力装置７は、例えば建物内に存在する人（以下「在室者」という）が通風制御装置１への指示を入力する際に用いられる装置である。入力装置７は、例えば在室者の入力操作によって建物内の設定温度（目標温度）の入力を受け付ける。なお、入力装置７は、設定温度以外の各種指示の入力も受け付けることができる。
【００２８】
通風制御装置１は、例えばＣＰＵ（Central Processing Unit：中央処理装置）およびメモリが搭載されたコンピュータ（マイクロコンピュータを含む）を主構成要素とするコントローラである。この通風制御装置１は、情報取得部１１と、設定温度取得部１２と、記憶部１３と、演算処理部１４とを備えている。
【００２９】
情報取得部１１は、環境情報（環境データ）を取得する。環境情報（環境データ）は、気象情報（気象データ）と、室内環境情報（室内環境データ）とを含んでいる。気象情報（気象データ）は、風関連情報（風関連データ）と、建物外の外気温および外気湿度とを含んでいる。風関連情報は、建物外で吹いている風に関する情報であり、当該風の風向および風速を含んでいる。室内環境情報は、建物内の室温および室内湿度を含んでいる。
【００３０】
情報取得部１１は、風関連情報取得部１１１と、外気温湿度取得部１１２と、室内温湿度取得部１１３とを備えている。
【００３１】
風関連情報取得部１１１は、風向風速計４を接続するためのインタフェース部（図示せず）を備えており、当該インタフェース部に接続されている風向風速計４から、風向風速計４の計測結果を取得する。例えば、風関連情報取得部１１１は、通風状態を設定する切替間隔よりも短い周期で風向風速計４から計測結果を取得する。そして、風関連情報取得部１１１は、前回の通風状態の設定時から当該周期で取得した風向の分布から最も頻度の高い風向を選択する。また、風関連情報取得部１１１は、前回の通風経路および通風量の設定時から当該周期で取得した風速の平均値を求める。これにより、風関連情報取得部１１１は、選択した風向と、求めた風速（平均値）とを風関連情報として取得することができる。なお、風関連情報取得部１１１は、有線に限らず、電波を伝送媒体に用いた無線通信によって、風向風速計４から風関連情報を取得してもよい。
【００３２】
外気温湿度取得部１１２は、第１の温湿度計５を接続するためのインタフェース部（図示せず）を備えており、当該インタフェース部に接続されている第１の温湿度計５から、第１の温湿度計５の計測結果を取得する。つまり、外気温湿度取得部１１２は、第１の温湿度計５から外気温と外気湿度とを取得する。なお、外気温湿度取得部１１２は、有線に限らず、電波を伝送媒体に用いた無線通信によって、第１の温湿度計５から外気温と外気湿度とを取得してもよい。
【００３３】
室内温湿度取得部１１３は、第２の温湿度計６を接続するためのインタフェース部（図示せず）を備えており、当該インタフェース部に接続されている第２の温湿度計６から、第２の温湿度計６の計測結果を取得する。つまり、室内温湿度取得部１１３は、第２の温湿度計６から室内環境情報を取得する。なお、室内温湿度取得部１１３は、有線に限らず、電波を伝送媒体に用いた無線通信によって、第２の温湿度計６から室内環境情報を取得してもよい。
【００３４】
設定温度取得部１２は、入力装置７を接続するためのインタフェース部（図示せず）を備えており、当該インタフェース部に接続されている入力装置７から、入力装置７に入力操作された設定温度を取得する。なお、設定温度取得部１２は、有線に限らず、電波を伝送媒体に用いた無線通信によって、入力装置７から設定温度を取得してもよい。
【００３５】
記憶部１３は、気象情報履歴記憶部１３１と、室内環境情報履歴記憶部１３２と、制御ログ記憶部１３３とを備えている。
【００３６】
気象情報履歴記憶部１３１は、これまでに風関連情報取得部１１１で取得された風関連情報の履歴を格納している。風関連情報取得部１１１が風関連情報を取得するたびに、演算処理部１４の制御によって、当該風関連情報が取得日付および取得時刻に対応付けて気象情報履歴記憶部１３１に書き込まれる。また、気象情報履歴記憶部１３１は、これまでに外気温湿度取得部１１２で取得された外気温および外気湿度の履歴を格納している。外気温湿度取得部１１２が外気温および外気湿度を取得するたびに、演算処理部１４の制御によって、当該外気温および当該外気湿度が取得日付および取得時刻に対応付けて気象情報履歴記憶部１３１に書き込まれる。
【００３７】
室内環境情報履歴記憶部１３２は、これまでに室内温湿度取得部１１３で取得された室内環境情報の履歴を格納している。室内温湿度取得部１１３が室内環境情報を取得するたびに、演算処理部１４の制御によって、当該室内環境情報が取得日付および取得時刻に対応付けて室内環境情報履歴記憶部１３２に書き込まれる。
【００３８】
制御ログ記憶部１３３は、演算処理部１４の制御によって、これまでの開口部制御装置２に対する制御内容の履歴すなわち制御ログを格納している。演算処理部１４の開口制御部１４４が開口部制御装置２の制御内容に従って開口部制御装置２を制御するたびに、演算処理部１４の制御によって、当該制御内容が制御日付および制御時刻に対応付けて制御ログ記憶部１３３に書き込まれる。
【００３９】
演算処理部１４は、通風経路設定部１４１と、通風量設定部１４２と、出力部１４３と、開口制御部１４４とを備えている。また、演算処理部１４は、状態決定部１４５と、補助制御部１４６とを備えている。さらに、演算処理部１４は、第１の判定部１５１と、第２の判定部１５２と、第３の判定部１５３と、切替間隔設定部１５４とを備えている。なお、演算処理部１４は、各種プログラムを実行して、種々の処理を行うことができる。各種プログラムは、記憶部１３に記憶されている。
【００４０】
通風経路設定部１４１は、情報取得部１１で取得された環境情報と、記憶部１３に記憶されている履歴情報とを用いて、建物内の通風経路を設定する。本実施形態の通風経路設定部１４１は、通風経路を設定するための通風経路設定プログラムを実行することによって、建物内の通風経路を設定する。当該通風経路設定プログラムを実行する際に、建物内の間取り（開口部の位置を含む）に関する建物情報が記憶部１３に予め入力されている。当該通風経路設定プログラムは、記憶部１３に格納されている。
【００４１】
通風量設定部１４２は、情報取得部１１で取得された環境情報と、通風経路設定部１４１で設定された通風経路と、記憶部１３に記憶されている履歴情報とを用いて、通風経路設定部１４１で設定された通風経路を通り抜ける通風量を設定する。本実施形態の通風量設定部１４２は、通風量を設定するための通風量設定プログラムを実行することによって、通風経路上の通風量を設定する。当該通風量設定プログラムを実行する際に、建物内の間取り（開口部の位置を含む）に関する建物情報が予め入力されている。当該通風量設定プログラムは、記憶部１３に格納されている。
【００４２】
出力部１４３は、通風経路設定部１４１で設定された通風経路と、通風量設定部１４２で設定された通風量とを開口制御部１４４に出力する。
【００４３】
開口制御部１４４は、いずれもが出力部１４３から出力された通風経路および通風量を用いて、各開口部制御装置２の制御内容を決定する。実際に、通風量の風が通り抜ける通風経路が建物内に形成されるように、開口制御部１４４は、各開口部制御装置２の制御内容を決定する。そして、開口制御部１４４は、当該制御内容に従って各開口部制御装置２を制御する。
【００４４】
このような演算処理部１４において、通風経路設定部１４１は、通風経路設定プログラムを実行し、以下の動作によって通風経路を設定する。まず、通風経路設定部１４１は、予想される通風効果の大きい順に優先順位を付けた複数の候補経路を、情報取得部１１で取得された環境情報を用いて設定する。そして、当該複数の候補経路の中で最も優先順位の高い第１の候補経路が前回設定された通風経路と同一である場合、情報取得部１１で前回取得された室温と情報取得部１１で今回取得された室温との差分値（前回の室温−今回の室温）が予め決められた閾値以上であるとき、通風経路設定部１４１は、第１の候補経路を通風経路として設定する。一方、差分値（前回の室温−今回の室温）が当該閾値未満であるとき、通風経路設定部１４１は、当該複数の候補経路の中で第１の候補経路の次に優先順位の高い第２の候補経路を通風経路として設定する。
【００４５】
また、本実施形態の通風経路設定部１４１は、最も優先順位の高い第１の候補経路について、これまでに予め決められた回数、差分値（前回の室温−今回の室温）が閾値未満であった場合、以後、常に、第２の候補経路を通風経路として設定する。
【００４６】
ところで、通風経路設定部１４１で設定された通風経路において、十分な通風量が得られない場合、複数の通風補助装置３，３，……を稼働させて強制的に通風を行う必要がある。
【００４７】
通風補助装置３は、ファン（換気扇３１、シーリングファン３２）、空調機器３３，３３などであり、通風経路設定部１４１で設定された通風経路上の通風を補助する。換気扇３１は、建物内において、例えばキッチンまたはトイレなどに設置されている。シーリングファン３２は、建物内において、例えば部屋の天井または階段の上方などに設置されている。空調機器３３は、建物内の部屋に設置されている。
【００４８】
状態決定部１４５は、いずれもが出力部１４３から出力された通風経路および通風量に応じて、各通風補助装置３の状態を決定する。
【００４９】
補助制御部１４６は、状態決定部１４５で決定された各通風補助装置３の状態になるように、各通風補助装置３を制御する。各通風補助装置３は、補助制御部１４６の制御に従って稼働する。
【００５０】
本実施形態の制御ログ記憶部１３３は、これまでの開口部制御装置２の制御内容の履歴だけではなく、これまでの通風補助装置３の状態の履歴も格納している。補助制御部１４６が通風補助装置３を制御するたびに、演算処理部１４の制御によって、通風補助装置３の状態が制御日付および制御時刻に対応付けて制御ログ記憶部１３３に書き込まれる。
【００５１】
ところで、風向および風速は刻一刻と変化するため、通風制御装置１は、風向および風速の変化に応じて通風状態（通風経路、通風量）を切り替える必要がある。通風制御装置１が通風状態を切り替える切替間隔は、１０分程度である。
【００５２】
しかしながら、通風状態が必要以上に短い時間で切り替わると、在室者の不快感が増加する。逆に、通風状態の切替間隔が長くなっても、室温が設定温度に到達しなかったり、室温が設定温度を通り過ぎてしまったりして、在室者の快適性を損なう恐れがある。
【００５３】
そこで、本実施形態の通風制御装置１は、通風状態（通風経路、通風量）の切替間隔を固定するのではなく、以下の判定条件に応じて変動させることができる。
【００５４】
第１の判定部１５１は、情報取得部１１で取得された室温（今回の室温）と外気温（今回の外気温）とを比較する。そして、第１の判定部１５１は、今回の室温と今回の外気温との差分絶対値（以下「第１の差分絶対値」という）｜今回の室温−今回の外気温｜が第１の規定値未満であるか否かを判定する。
【００５５】
第２の判定部１５２は、第１の差分絶対値が第１の規定値未満である場合に、情報取得部１１で取得された室温（今回の室温）と、通風経路上の設定温度とを比較する。そして、第２の判定部１５２は、今回の室温と設定温度との差分絶対値（以下「第２の差分絶対値」という）｜今回の室温−設定温度｜が第２の規定値未満であるか否かを判定する。
【００５６】
第３の判定部１５３は、第２の差分絶対値が第２の規定値未満である場合に、情報取得部１１で取得された室温（今回の室温）と、室内環境情報履歴記憶部１３２に格納されている前回取得の室温とを比較する。そして、第３の判定部１５３は、今回の室温と前回の室温との差分絶対値（以下「第３の差分絶対値」という）｜今回の室温−前回の室温｜が第３の規定値未満であるか否かを判定する。
【００５７】
切替間隔設定部１５４は、通風状態（通風経路、通風量）の切替間隔つまり次回の制御開始タイミングを設定する。第１の差分絶対値｜今回の室温−今回の外気温｜が第１の規定値以上である場合、切替間隔設定部１５４は、切替間隔を第１の時間に設定する。つまり、この場合、切替間隔設定部１５４は、今回の切替タイミングから第１の時間が経過した後に次回の切替タイミングを設定する。また、第２の差分絶対値｜今回の室温−設定温度｜が第２の規定値以上である場合も同様に、切替間隔設定部１５４は、切替間隔を第１の時間に設定する。さらに、第３の差分絶対値｜今回の室温−前回の室温｜が第３の規定値以上である場合も同様に、切替間隔設定部１５４は、切替間隔を第１の時間に設定する。
【００５８】
一方、第３の差分絶対値｜今回の室温−前回の室温｜が第３の規定値未満である場合、切替間隔設定部１５４は、切替間隔を第２の時間に設定する。つまり、この場合、切替間隔設定部１５４は、今回の切替タイミングから第２の時間が経過した後に次回の切替タイミングを設定する。第２の時間は、第１の時間よりも長くなるように予め設定されている。
【００５９】
つまり、通風制御装置１は、第１の差分絶対値｜今回の室温−今回の外気温｜、第２の差分絶対値｜今回の室温−設定温度｜または第３の差分絶対値｜今回の室温−前回の室温｜のいずれかが規定値（第１の規定値、第２の規定値、第３の規定値）以上である場合に、切替間隔を比較的短くする。一方、第１の差分絶対値｜今回の室温−今回の外気温｜、第２の差分絶対値｜今回の室温−設定温度｜および第３の差分絶対値｜今回の室温−前回の室温｜が一定値未満である場合に、通風制御装置１は、切替間隔を比較的長くする。
【００６０】
ところで、記憶部１３は、上述した気象情報の履歴、室内環境情報の履歴および制御ログに限らず、必要に応じて、各種情報を記憶している。
【００６１】
また、記憶部１３は、通風制御装置（コンピュータ）１が各種機能を実行するためのプログラムを格納している。つまり、記憶部１３は、通風制御装置１を通風経路設定部１４１、通風量設定部１４２、出力部１４３、開口制御部１４４、状態決定部１４５、補助制御部１４６、第１の判定部１５１、第２の判定部１５２、第３の判定部１５３および切替間隔設定部１５４として機能させるためのプログラムを格納している。当該プログラムは、通風制御装置１の出荷時に記憶部１３に予め格納されている。ただし、通風制御装置１が当該プログラムを出荷後に取得する場合、通風制御装置１が当該プログラムを取得する手法の一例としては、当該プログラムを記録したコンピュータ読み取り可能な記録媒体を用いる手法がある。記録媒体を用いる手法の場合、通風制御装置１は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、通風制御装置１が当該プログラムを取得する他の手法としては、ネットワークを用いて当該プログラムを他の装置（例えばサーバ）からダウンロードする手法がある。当該プログラムをダウンロードする手法の場合、通風制御装置１は、ネットワークを用いて当該他の装置と通信するための通信機能を有していればよい。
【００６２】
次に、本実施形態に係る通風制御装置１を用いた通風制御方法について図２を用いて説明する。当該通風制御方法は、通風制御装置１の記憶部１３に格納されているプログラムを実行することによって実現する。
【００６３】
まず、情報取得部１１が環境情報を取得する（Ｓ１）。その後、演算処理部１４の通風経路設定部１４１が、ステップＳ１において取得された環境情報と、記憶部１３に格納されている履歴情報とを用いて、通風経路を設定する（Ｓ２）。
【００６４】
ここで、通風経路の設定動作の詳細について図３を用いて説明する。ステップＳ２において、通風経路設定部１４１は、予想される通風効果の大きい順に優先順位を付けて複数の候補経路を設定する（Ｓ２１）。
【００６５】
複数の通風経路の中で最も優先順位の高い第１の候補経路が前回設定された通風経路と同一ではない場合（Ｓ２２のＮＯ）、通風経路設定部１４１は、第１の候補経路を通風経路として設定する（Ｓ２４）。
【００６６】
これに対して、第１の候補経路が前回設定された通風経路と同一である場合（Ｓ２２のＹＥＳ）、通風経路設定部１４１は、前回の室温と今回の室温との差分値（前回の室温−今回の室温）が閾値以上であるとき（Ｓ２３のＮＯ）、第１の候補経路を通風経路として設定する（Ｓ２４）。
【００６７】
一方、差分値（前回の室温−今回の室温）が閾値未満であるとき（Ｓ２３のＹＥＳ）、通風経路設定部１４１は、複数の通風経路の中で第１の候補経路の次に優先順位の高い第２の候補経路を通風経路として設定する（Ｓ２５）。
【００６８】
ステップＳ２の後、図２に示すように、演算処理部１４の通風量設定部１４２が、ステップＳ１において取得された環境情報と、ステップＳ２において設定された通風経路と、記憶部１３に格納されている履歴情報とを用いて、通風量を設定する（Ｓ３）。
【００６９】
その後、演算処理部１４の状態決定部１４５が、ステップＳ２において設定された通風経路と、ステップＳ３において設定された通風量とに応じて、各通風補助装置３の状態を決定する（Ｓ４）。なお、通風補助装置３の稼働が不要である場合、状態決定部１４５は、通風補助装置３の状態をオフ状態とする。
【００７０】
その後、演算処理部１４の開口制御部１４４が、ステップＳ２において設定された通風経路と、ステップＳ３において設定された通風量とを用いて、各開口部制御装置２を制御する（Ｓ５）。また、演算処理部１４の補助制御部１４６が、ステップＳ４において決定された各通風補助装置３の状態になるように、各通風補助装置３を制御する。
【００７１】
その後、第１の差分絶対値｜今回の室温−今回の外気温｜が第１の規定値未満であるか否かを第１の判定部１５１が判定する（Ｓ６）。第１の差分絶対値が第１の規定値未満である場合（Ｓ６のＹＥＳ）、第２の差分絶対値｜今回の室温−設定温度｜が第２の規定値未満であるか否かを第２の判定部１５２が判定する（Ｓ７）。第２の差分絶対値が第２の規定値未満である場合（Ｓ７のＹＥＳ）、第３の差分絶対値｜今回の室温−前回の室温｜が第３の規定値未満であるか否かを第３の判定部１５３が判定する（Ｓ８）。
【００７２】
ステップＳ６において、第１の差分絶対値が第１の規定値以上である場合（Ｓ６のＮＯ）、演算処理部１４の切替間隔設定部１５４が、切替間隔を第１の時間に設定する（Ｓ９）。また、ステップＳ７において、第２の差分絶対値が第２の規定値以上である場合（Ｓ７のＮＯ）も同様に、切替間隔設定部１５４が、切替間隔を第１の時間に設定する。さらに、第３の差分絶対値が第３の規定値以上である場合（Ｓ８のＮＯ）も同様に、切替間隔設定部１５４が、切替間隔を第１の時間に設定する。
【００７３】
一方、第３の差分絶対値が第３の規定値未満である場合（Ｓ９のＹＥＳ）、切替間隔設定部１５４が、切替間隔を第１の時間よりも長い第２の時間後に設定する（Ｓ１０）。
【００７４】
その後、第１の時間が経過した後（Ｓ１１のＹＥＳ）、通風制御装置１は、ステップＳ１に戻って、通風状態を切り替えるための動作を行う。また、第２の時間が経過した後（Ｓ１２のＹＥＳ）も同様に、通風制御装置１は、ステップＳ１に戻って、通風状態を切り替えるための動作を行う。
【００７５】
以上説明した本実施形態に係る通風システムにおいて、通風制御装置１は、最も優先順位の高い第１の候補経路が前回設定された通風経路と同一であって、前回取得の室温と今回取得の室温との差分値が閾値未満である場合、第１の候補経路ではなく、第１の候補経路の次に優先順位の高い第２の候補経路を通風経路として設定する。これにより、本実施形態の通風制御装置１では、前回、予想される通風効果の大きい第１の候補経路を通風経路として設定したものの、実際の通風効果が小さかった場合に、今回、実際の通風効果が小さい第１の候補経路ではなく、第２の候補経路を通風経路として用いることができる。その結果、実際の通風効果が大きい通風経路を精度よく設定することができる。つまり、実際の通風効果を確認して、最適な通風経路を設定することができる。例えば、建物の細かい間取り（開口部の位置を含む）についての情報がなくても、実際の通風効果を確認して、最適な通風経路を設定することができる。
【００７６】
また、本実施形態に係る通風システムにおいて、通風制御装置１は、最も優先順位の高い第１の候補経路について、これまでに予め決められた回数、前回取得の室温と今回取得の室温との差分値が閾値未満であった場合、以後、常に、第１の候補経路の次に優先順位の高い第２の候補経路を通風経路として設定する。これにより、本実施形態の通風制御装置１では、実際の通風効果が小さい通風経路を確実に除外することができる。
【００７７】
さらに、本実施形態に係る通風システムにおいて、通風制御装置１は、いずれもが出力部１４３から出力された通風経路および通風量を用いて、開口部の開閉を制御する開口部制御装置２を制御する。これにより、本実施形態の通風制御装置１では、開口部を自動で開閉させることができるので、開口部を手動で開閉させる場合に比べて、通風を容易に行うことができる。
【００７８】
また、本実施形態に係る通風制御システムにおいて、通風制御装置１は、通風経路設定部１４１で設定された通風経路、および、通風量設定部１４２で設定された通風量に応じて、当該通風経路上の通風を補助する各通風補助装置３を制御する。これにより、本実施形態の通風制御装置１では、今回設定された通風経路において、十分な通風が得られない場合であっても、各通風補助装置３を稼働させて、通風を促すことができる。その結果、無風時においても、通風による心地よさの向上を図ることができる。
【００７９】
さらに、本実施形態に係る通風システムにおいて、通風制御装置１は、第１の差分絶対値｜室温−外気温｜、第２の差分絶対値｜室温−設定温度｜または第３の差分絶対値｜今回の室温−前回の室温｜のいずれかが規定値（第１〜３の規定値）以上である場合、切替間隔を比較的短くする。一方、本実施形態の通風制御装置１は、第１の差分絶対値、第２の差分絶対値および第３の差分絶対値の全てが規定値未満である場合、切替間隔を比較的長くする。これにより、本実施形態の通風制御装置１では、必要に応じて、建物内に存在する人（在室者）が不快に感じない温度環境を保った上で、できるだけ長い切替間隔で通風を行うことができる。その結果、頻繁な切替による不快感を在室者に与えることなく、通風による省エネルギーおよび心地よさの向上を図ることができる。
【００８０】
なお、本実施形態では、情報取得部１１の風関連情報取得部１１１は、風向風速計４から風関連情報を取得しているが、本実施形態の変形例として、風関連情報取得部１１１は、外部装置（図示せず）から風関連情報を取得してもよい。当該外部装置は、例えば風関連情報を定期的に取得して保持するような装置であればよい。
【００８１】
また、本実施形態では、情報取得部１１の外気温湿度取得部１１２は、建物外に設置されている第１の温湿度計５から外気温と外気湿度とを取得しているが、本実施形態の変形例として、外気温湿度取得部１１２は、外部装置（図示せず）から外気温と外気湿度とを取得してもよい。当該外部装置は、例えば外気温と外気湿度とを定期的に取得して保持するような装置であればよい。
【００８２】
さらに、本実施形態では、情報取得部１１の室内温湿度取得部１１３は、建物内に設置されている第２の温湿度計６から室内環境情報を取得しているが、本実施形態の変形例として、室内温湿度取得部１１３は、外部装置（図示せず）から室内環境情報を取得してもよい。当該外部装置は、例えば室内環境情報を定期的に取得して保持するような装置であればよい。
【００８３】
また、本実施形態の変形例として、出力部１４３は、今回設定された通風状態（通風経路、通風量）を、開口制御部１４４および補助制御部１４６だけではなく、報知手段（図示せず）に出力してもよい。本変形例の場合、報知手段は、出力部１４３から出力された通風状態を報知する。これにより、今回設定された通風状態を在室者に知らせることができる。なお、通風状態を報知するための報知手法は、当該通風状態を画面に表示する手法であってよいし、当該通風状態を音声で出力する手法であってもよい。
【００８４】
さらに、本実施形態では、開口制御部１４４が複数の開口部制御装置２，２，２を制御しているが、本実施形態の変形例として、出力部１４３が、複数の開口部制御装置２，２，２を管理する管理装置（図示せず）に、今回設定された通風状態（通風経路、通風量）を出力してもよい。本変形例の場合、当該管理装置は、出力部１４３から当該通風状態を取得すると、当該通風状態を用いて、各開口部制御装置２の制御内容を決定する。そして、当該管理装置は、当該制御内容に従って各開口部制御装置２を制御する。
【符号の説明】
【００８５】
１  通風制御装置
１１  情報取得部
１４１  通風経路設定部
１４２  通風量設定部
１４３  出力部
１４４  開口制御部
１４５  状態決定部
１４６  補助制御部
１５１  第１の判定部
１５２  第２の判定部
１５３  第３の判定部
１５４  切替間隔設定部
２  開口部制御装置
３  通風補助装置
【図１】
2014141841.tif 000003
【図２】
2014141841.tif 000004
【図３】
2014141841.tif 000005